(57)【要約】【課題】電気配線にアクセスするのが容易であり、電気的不具合が起こり難く、しかも製氷機前面からのサービスが可能な製氷機を提供する。【解決手段】製氷機は、フレーム構造３０にパネルを装着して製氷機構部１０及び冷凍機構部２０を収容するスペースを画成している。フロントパネル３３が装着されるフレーム構造３０の頂部前面３０ａに、製氷機構部の電気要素１５，１６，４１と冷凍機構部にある電装箱２１とを連絡する電気配線３９のための配線収容部材３７を設けた。フレーム構造３０に支持された取付部材３１は、製氷機構部１０を支持しており、切換えスイッチ３５が設けられたこの取付部材は、切換えスイッチが設けられる部分を除いて実質的に断面横Ｌ字形に形成されている。【選択図】  図３
2004293898.tif 000002
【特許請求の範囲】
【請求項１】
フレーム構造にパネルを装着して製氷機構部及び冷凍機構部を収容するスペースを画成した製氷機において、
フロントパネルが装着される前記フレーム構造の頂部前面に、前記製氷機構部の電気要素と前記冷凍機構部にある電装箱とを連絡する電気配線のための配線収容部材を設けたことを特徴とする製氷機。
【請求項２】
フレーム構造にパネルを装着して製氷機構部及び冷凍機構部を収容するスペースを画成すると共に、前記フレーム構造の頂部に設けられた取付部材に前記製氷機構部を取り付けた製氷機において、
フロントパネルが装着される前記フレーム構造の頂部前面に、前記製氷機構部の電気要素と前記冷凍機構部にある電装箱とを連絡する電気配線のための配線収容部材を設けると共に、製氷室に対して製氷運転時の水平な位置と除氷運転時の傾斜した位置との間に傾動自在な水皿を前記２位置間に切り換えるための切換えスイッチを前記取付部材に設け、該取付部材は、前記切換えスイッチが設けられる部分を除いて実質的に断面横Ｌ字形に形成され、該Ｌ字の横開放部が前記製氷機の前側に向けられていることを特徴とする製氷機。
【発明の詳細な説明】
【０００１】
【発明の属する技術分野】
本発明は、総括的には製氷機に関し、特に、製氷機における水皿の傾動に関連した諸電気要素に対する電気配線構造の改良に関するものである。
【０００２】
【従来の技術】
製氷機には種々の形式のものがあり、その中でも、いわゆる水皿傾動式とも称される噴水式製氷機は、透明な角氷を効率的に製造しうるものとして、喫茶店やレストラン等の施設その他の厨房において広く使用されている。この噴水式製氷機は、他の形式の製氷機と同様に、冷凍機構部、製氷機構部及び貯氷部を備えており、これら冷凍機構部、製氷機構部及び貯氷部の配置構造に応じて、横形製氷機及び縦形製氷機に大きく分類することができる。
【０００３】
代表的に横形の水皿傾動式製氷機について説明すると、これは、例えばフレーム構造にパネルを装着して形成した六面体の箱形形状を有しており、その内部空間は、仕切パネルにより左右に仕切られていて、一方の空間部分に製氷機構部が収容され、他方の空間部分に冷凍機構部が電装箱と共に収容されるようになっている。製氷機構部を支持するために、フレーム構造の頂部に断面コ字形の２本の取付部材が前後方向に離間して取り付けられており、製氷機構部を構成する製氷室及び水皿等が互いに上下方向に離間して該取付部材に懸架して取り付けられている。製氷機構部及び冷凍機構部を収容しパネルが装着されたフレーム構造は、別体としての貯氷部に載置され、スタックオンタイプの製氷機を構成している（実開昭６３−１９６０６４号公報参照）。
【０００４】
製氷室の背面上には、各製氷セルを冷却するため冷凍機構部の圧縮機及び凝縮器に連絡する冷媒管が蛇行配置されている。また、製氷室の各製氷セルに向かって製氷水を噴水する水皿には、循環ポンプを有する製氷水タンクが付設されている。更に、上述した取付部材には、該水皿を製氷水タンクと共に製氷室に対して傾斜開位置及び水平閉位置間に傾動させるためのアクチュエータモータが取付ブラケットを介して取り付けられている。この水皿は、周知のように、製氷運転時の水平閉位置と除氷運転時の傾斜開位置との間に位置を切り換えられるものであり、製氷完了が適宜の手段により検知されると、アクチュエータモータが作動して水皿を傾斜開位置に向かって傾動させ、傾斜開位置に達すると切換えスイッチが作動して、水皿の傾動を停止させ、製氷機は除氷運転モードに入る。そして、除氷完了が適宜の手段により検知されると、アクチュエータモータが再び作動して水皿を水平閉位置に向かって傾動させ、水平閉位置に達すると切換えスイッチが作動して、水皿の傾動を停止させる。このように作動する切換えスイッチの一例は、特開２０００−２０５７１５号公報に記載されている。製氷完了検知手段及び除氷完了検知手段としては、様々な技術が知られているが、製氷水タンクの製氷水レベル検知手段や、製氷室に設置されるサーミスタのような抵抗回路素子はその一例である。更に、貯氷部における貯氷状態を検知するために、貯氷部には、貯氷検知スイッチが設けられており、該貯氷検知スイッチが満氷を検知すると、製氷機が製氷運転に入るのを阻止するようになっている。このような貯氷検知スイッチの一例は、特開２０００−２２７２６７号公報の図５に記載されている。
【０００５】
上述した循環ポンプモータ、アクチュエータモータ、切換えスイッチ、製氷完了検知手段、除氷完了検知手段及び貯氷検知スイッチ等に連絡する電気配線及びアース線は、冷凍機構部に配置された電装箱に接続しなければならない。そのため、これらの電気配線等は、フレーム構造の頂部前側に設けられた断面コ字形の取付部材に一旦通され、そこで電気コネクタに接続されてから電装箱に延びている（例えば、特開２００２−２７７１２０号公報参照）。配線が敷設される断面コ字形の取付部材には専用カバーが取り付けられている。
【０００６】
【特許文献１】
実開昭６３−１９６０６４号公報
【特許文献２】
特開２０００−２０５７１５号公報
【特許文献３】
特開２００２−２７７１２０号公報
【特許文献４】
特開２０００−２２７２６７号公報
【０００７】
【発明が解決しようとする課題】
従って、上述したような配線構造であると、取付部材内の配線又は電気コネクタにアクセスする必要がある場合、先ず、フレーム構造の頂部にある頂部断熱板とその上にある天板とを取り除いてから、取付部材の専用カバーを外さねばならず、非常に面倒である。また、水皿傾動式製氷機は、製氷運転及び除氷運転を繰り返すため、取付部材内には結露水が溜り易いので、取付部材内に電気配線を敷設することは必要最小限に留めるのが好ましいが、上述したように多くの電気配線を取付部材内に敷設しておくと漏電等の電気的不具合が起こり易い。しかも、取付部材はコ字形の開口部を上に向けて設置されているため、製氷機のフロントパネルを外しても電気配線に対し前側からサービスを提供することは困難であった。
【０００８】
また、上述した特開２０００−２２７２６７号公報には、中継コネクタの分離作業及び／又は結合作業を、天板及び天板断熱板を行い得るようにするため、取付部材の前側側面にコネクタ設置部を設けた製氷機構造が開示されている。しかし、配線は依然として相当低温にまで冷却される取付部材に収容されており、また、コネクタ設置部は取付部材に設けられるので、この特開２０００−２２７２６７号公報記載の製氷機構造には、少なくとも電気配線について、上述したような配線構造の問題点が内在しており、また、中継コネクタについても、結露水の問題が残っている。
【０００９】
従って、本発明の主な目的は、中継コネクタに限らず、電気配線にアクセスするのも容易であり、電気的不具合が起こり難く、しかも製氷機前面からのサービスが可能な製氷機を提供することである。
【００１０】
【課題を解決するための手段】
上述の目的を達成するため、請求項１に記載の本発明は、フレーム構造にパネルを装着して製氷機構部及び冷凍機構部を収容するスペースを画成した製氷機において、フロントパネルが装着される前記フレーム構造の頂部前面に、前記製氷機構部の電気要素と前記冷凍機構部にある電装箱とを連絡する電気配線のための配線収容部材を設けたことを特徴としている。
【００１１】
本発明の別の側面によると、請求項２に記載のように、本発明は、フレーム構造にパネルを装着して製氷機構部及び冷凍機構部を収容するスペースを画成すると共に、前記フレーム構造の頂部に設けられた取付部材に前記製氷機構部を取り付けた製氷機において、フロントパネルが装着される前記フレーム構造の頂部前面に、前記製氷機構部の電気要素と前記冷凍機構部にある電装箱とを連絡する電気配線のための配線収容部材を設けると共に、製氷室に対して製氷運転時の水平な位置と除氷運転時の傾斜した位置との間に傾動自在な水皿を前記２位置間に切り換えるための切換えスイッチを前記取付部材に設け、該取付部材は、前記切換えスイッチが設けられる部分を除いて実質的に断面横Ｌ字形に形成され、該Ｌ字の横開放部が前記製氷機の前側に向けられていることを特徴としている。
【００１２】
【発明の実施の形態】
次に、添付図面を参照して、本発明の好適な実施の形態について説明するが、図中、同一符号は同一又は対応部分を示すものとする。また、本発明は、以下の説明から分かるように、この実施形態に限定されるものではなく、種々の改変が可能である。
【００１３】
本発明の理解を容易にするため、先ず水皿傾動式製氷機の概略について図１及び図２を参照して説明する。水皿傾動式製氷機は、他の形式の製氷機と同様に、冷凍機構部、製氷機構部及び貯氷部を備えており、図１は、製氷機構部１０及び冷凍機構部２０が並置された横形製氷機の一部を分解して斜視しており、図２には、製氷機構部１０の要部が分解斜視図で示されている。図１及び図２に示すように、製氷機は、フレーム構造３０に種々のパネルを装着して形成した六面体の箱形形状を有しており、その上方部内の空間は、仕切パネル３６により左右に仕切られていて、一方の空間部分に製氷機構部１０が収容され、他方の空間部分に冷凍機構部２０が電装箱２１と共に収容されている。また、製氷機構部１０及び冷凍機構部２０の下方部内の空間は、製氷機構部と連通していて貯氷部４０（図３参照）となっている。
【００１４】
フレーム構造３０は、説明するまでもなく、図示のような枠組構造からからなっており、製氷機構部１０を支持するために、フレーム構造３０の頂部に２本の取付部材３１，３２が前後方向に離間して取り付けられており、製氷機構部１０を構成する製氷室１１、水皿１２、製氷水タンク１３等が互いに上下方向に離間して該取付部材３１，３２に技術的に周知の手段により懸架して取り付けられている。製氷室１１は、下向きに開口する多数の製氷セル（図示せず）を画成しており、この製氷室１１上面に密着するように、冷凍機構部２０を構成する凝縮器２２及び圧縮機２３等に連通する冷媒管１４が蛇行配置され、製氷運転時に冷媒を循環させて製氷セルを強制冷却するようになっている。また、製氷室１１の直下にある水皿１２は、製氷水を貯留する製氷水タンク１３を下方に一体的に備えると共に、支軸（図示せず）により片持ち式に傾動可能に枢支され、アクチュエータモータ１５やカムアーム１８ａ，１８ｂ（図２参照）等からなる水皿傾動機構により付勢されて、前記支軸を中心として傾動し、製氷室１１を下方から閉じる水平閉位置と、製氷室１１から下方に傾動して製氷室１１を開放する傾動開位置との間を移動するよう構成される。
【００１５】
製氷水タンク１３の底部外方には、製氷水の循環ポンプモータ１６が取り付けられ、このモータ１６により吸い込まれた製氷水は、水皿１２に吐出供給されると共に、この水皿１２の上面に穿設した各噴水孔から、対応する製氷セル内に噴射供給される。水皿１２の枢支部と反対側の他端部に近接する取付部材３１，３２の部分の下面には、図２から了解されるように、前後方向に所要間隔離間して一対の軸受ブラケット１７ａ，１７ａが垂下固定され、これら両軸受ブラケットに共通に長尺のカムシャフト１７ｂが挿通軸支されている。カムシャフト１７ｂの前方を指向する一端部に第１カムアーム１８ａが、その基部に形成されたボス部を介して連結されると共に、該カムシャフト１７ｂの後方を指向する他端部に第２カムアーム１８ｂが、その基部に形成されたボス部を介して連結されている。
【００１６】
また、第１カムアーム１８ａを上方から覆うように、下方に開放するコ字状に形成された取付ブラケット１９が配設されている。前述したアクチュエータモータ１５は、この取付ブラケット１９の前面に取り付けられており、該モータ１５の回転軸が第１カムアーム１８ａのボス部に連結されるようになっている。該第１及び第２カムアーム１８ａ，１８ｂの各先端部に突設したピン１８ｃ，１８ｃと、水皿１２の対応する両端部に突設したピン１８ｄ，１８ｄとの間に夫々引張りコイルばね１８ｅ，１８ｅが弾力的に介装され、常には水皿１２を水平閉位置に引き上げて、製氷室１１を下方から閉止している。また、両カムアーム１８ａ及び１８ｂのカム面は、水皿１２の上面と当接可能になっており、除氷運転時にはアクチュエータモータ１５が回転して水皿１２を下方に傾動させ、この水皿１２と製氷室１１との当接状態を強制的に解除するように構成されている。
【００１７】
取付ブラケット１９が配設される取付部材３１の前板３１ａには、第１カムアーム１８ｃにより切り換えられて水皿１２の傾動終了を検知する切換えスイッチ３５が後側から取り付けられ、前板３１ａから前方に延出するそのトグルレバー３５ａを、第１カムアーム１８ａの回動軌跡に臨ませている。即ち、製氷運転が終了して除氷運転に移行して水皿１２が所要角度回動した際に、切換えスイッチ３５のトグルレバー３５ａが第１カムアーム１８ａにより切り換えられ、アクチュエータモータ１５の作動が停止して水皿１２の傾動を傾動開放位置で停止させるように構成されている。そして製氷セルから落下した角氷群は、水皿１２の傾斜上面を滑落し、上述の貯氷部４０（図３）内に貯留される。また、製氷室１１から角氷が除氷されたことを図示しないサーミスタのような除氷検知手段が検出すると、その作用下にアクチュエータモータ１５が逆回転して水皿１２を水平閉止位置に復帰させる。このとき切換えスイッチ３５のトグルレバー３５ａが第１カムアーム１８ａにより切り換えられ、アクチュエータモータ１５が停止し、水皿１２の傾動を停止させるようになっている。
【００１８】
図１に戻り再び同図を参照すると、フレーム構造３０には、図示したフロントパネル３３並びにトップパネル３４ａ及び天板断熱板３４ｂに加えて、図示しないリヤパネル、左右のサイドパネル及びボットムパネルが取り付けられている。脱着自在であることが望まれるフロントパネル３３をフレーム構造３０に容易に装着するために、本発明の好適な実施形態によると、図３〜図５にも示すように、フレーム構造３０の頂部前面にあるフレーム部材３０ａには、上向きに延びるフック状部を有する支持板３４が左右のフレーム部材３０ｂ，３０ｃ間に水平に延びている。この支持板３４のフック状部への係合を容易にするため、フロントパネル３３の頂部には、下方に向かい開放したほぼ断面コ字形の爪状係合部３３ａが形成されている。
【００１９】
更に、本発明の好適な実施形態によると、上述した循環ポンプモータ１６、アクチュエータモータ１５、切換えスイッチ３５、製氷完了検知手段、除氷完了検知手段及び貯氷検知スイッチ等に連絡する電気配線やアース線の収容スペースを従来のように取付部材３１により画成するのではなく、製氷機前面からアクセスしうる別の好ましい位置に確保するため、図３〜図５に示すように、フロントパネル３３の内側に電気配線３９の収容スペース３８を画成する配線収容部材３７が配設されている。
【００２０】
この配線収容部材３７は、製氷機前面からの容易なアクセスを可能にするものであれば任意の形状とすることができるが、図示の実施形態においては、開放部を上に向けた断面コ字形の配線受部３７ａと、この配線受部３７ａの後部から垂直上方に立ち上がる逆Ｌ字形の取付部３７ｂとを備えており、この取付部３７ｂの頂部である逆Ｌ字の底部が、フレーム構造３０の頂部前面にあるフレーム部材３０ａの上面に載置されている。配線収容部材３７は、図４から分かるように、例えばビス３７ｃのような締結具により支持板３４と共にフレーム部材３０ａの前面に着脱自在に取り付けられている。
【００２１】
図３から了解されるように、支持板３４は、フロントパネル３３と係合するために左右のフレーム部材３０ｂ，３０ｃ間の全幅に延びているが、配線収容部材３７は、主として製氷機構部１０にある諸電気要素と冷凍機構部２０にある電装箱２１との間に延びる電気配線３９や図示しないアース線及び中継コネクタを収容し支持するためのものであるため、左側のフレーム部材３０ｂの近傍から製氷機構部１０及び冷凍機構部２０間の仕切パネル３６の近傍まで延びている。具体的には、支持板３４の長さＬ１はフレーム構造３０の水平方向内寸法Ｌ２と実質的に同一であるが、配線収容部材３７の長さｌ１は、製氷機構部１０を収容するスペースの水平方向内寸法ｌ２よりも実質的に短く設計されていて、配線収容部材３７を取り付けた後、その両側に少なくとも電気配線３９等を通す隙間が残るようになっている。
【００２２】
この電気配線３９には、製氷水の循環ポンプモータ１６、水皿の傾動を行うアクチュエータモータ１５、製氷水タンクへの製氷水の供給を制御する電磁式ウォータバルブＷＶ、及び貯氷部４０内に本体が入っている貯氷検知スイッチ４１に加え、図示しない製氷完了検知手段、除氷完了検知手段、節水サーミスタ、アース等に関連した電気配線が含まれる。
【００２３】
再び図１及び図２を参照すると、製氷機構部１０を取り付けるためにフレーム構造３０の頂部に設けられた前後の取付部材３１，３２のうち、前面側の取付部材３１は、本発明の好適な実施形態によると、切換えスイッチ３５が装着された前板３１ａの部位を除いて横Ｌ字形の断面形状を有している。即ち、取付部材３１の後板３１ｂは全幅にわたり延びている。切換えスイッチ３５は電気要素であるため、漏電を防止すべく少なくとも同切換えスイッチ３５をカバー３５ｂで上から覆う必要がある。また、取付部材３１は、切換えスイッチ３５が装着された前板３１ａの部位を除いて横Ｌ字形の断面形状を有しているが、製氷機前面からの切換えスイッチ３５等に対するサービスに支障のない範囲で、取付部材３１の前縁部は若干立ち上がっていてもよい。換言すれば、取付部材３１は、少なくとも前板３１ａを除く前面側が切り欠かれていればよい。
【００２４】
本発明の好適な実施形態によれば、水皿傾動式製氷機は、以上のように構成されているため、電気配線３９、アース線及び／又は中継コネクタ自体に対するサービスが必要になった場合には、従来のようにトップパネル３４ａ及び天板断熱板３４ｂ等を除去することなく、単にフロントパネル３３を取り外すだけで、電気配線３９及び中継コネクタを支持した配線収容部材３７を露出させることができる。また、製氷機構部１０内の部品に対するサービスを容易にしたい場合には、露出した配線収容部材３７を支持板３４と共に製氷機前面側から簡単に取り外すことができる。更に、製氷機前側にある取付部材３１は、切換えスイッチ３５が取り付けられる前板３１ａの部位を除いて実質的に横Ｌ字形に形成されているので、また、切換えスイッチ３５以外のための配線が設けられていないためにその配線分のスペースが空くので、切換えスイッチ３５等に対する前面からのサービスが容易になる。
【００２５】
以上、本発明の好適な実施形態について説明したが、本発明は、これに限定されるものではなく、様々な改変が可能である。本発明は、例えば、上から順に製氷機構部、貯氷部、冷凍機構部が配設されるいわゆる竪形製氷機にも適用可能であり、この場合、電装箱は、同様に冷凍機構部内にあるため、該電装箱及び配線収容部材間の配線通路は、例えば貯氷部の前面側方にあるフレーム部材に外装で覆って適宜形成することができる。また、本発明は、水皿傾動式製氷機に適用した場合について特に説明したが、製氷機構部の諸電気要素と電装箱との間に配線を敷設する必要があれば、どの形式の製氷機にも適用可能である。更に、本発明の好適な実施形態においては、支持板３４がフレーム構造３０の頂部前側にあるフレーム部材３０ａとは別体の部品となっているが、一体とすることも可能であり、また支持板３４と配線収容部材３７とを一体に形成してもよい。
【００２６】
【発明の効果】
請求項１に記載の本発明によれば、フロントパネルが装着されるフレーム構造の頂部前面に、製氷機構部の電気要素と冷凍機構部にある電装箱とを連絡する電気配線のための配線収容部材を設けたので、従来のように製氷室の直上に電気配線通路を設けていた場合と異なって、配線収容部材に結露水が溜まることが実質的になくなり、漏電、短絡等の不具合の発生を防止することができる。また、フロントパネルを外せば、電気配線や中継コネクタを収容した配線収容部材が露出するので、電気配線や中継コネクタに対するサービスの提供が容易になる。
【００２７】
また、請求項２に記載の本発明によれば、フロントパネルが装着されるフレーム構造の頂部前面に、製氷機構部の電気要素と冷凍機構部にある電装箱とを連絡する電気配線のための配線収容部材を設けるだけでなく、製氷室に対して製氷運転時の水平な位置と除氷運転時の傾斜した位置との間に傾動自在な水皿を上記２位置間に切り換えるための切換えスイッチを取付部材に設け、該取付部材は、切換えスイッチが設けられる部分を除いて実質的に断面横Ｌ字形に形成され、該Ｌ字の横開放部が製氷機の前側に向けられているので、請求項１の本発明による効果に加えて、トップパネル及び天板断熱板が取り除かれていなくても、切換えスイッチに対して製氷機前面から保守等のサービスを提供することができる。
【図面の簡単な説明】
【図１】本発明に係る製氷機の一実施形態を示す分解斜視図である。
【図２】図１の製氷機における製氷機構部の概略構造、取付部材への製氷機構部の取付、切換えスイッチ及びアクチュエータモータ連係動作等について説明するための分解斜視図である。
【図３】本発明に係る製氷機からフロントパネル、トップパネル及び天板断熱板を取り除いて示す斜視図である。
【図４】本発明に係る製氷機におけるフレーム構造、支持板及び配線収容部材間の水平方向の寸法関係を示すための分解斜視図である。
【図５】本発明に係る製氷機に適用するフロントパネルの支持板及び配線収容部材が配設された製氷機フレーム構造の部分断面図である。
【符号の説明】
１０…製氷機構部、１１…製氷室、１２…水皿、１５…アクチュエータモータ（電気要素）、１６…循環ポンプモータ（電気要素）、２０…冷凍機構部、２１…電装箱、３０…フレーム構造、３０ａ…フレーム構造の頂部前面のフレーム部材、３１…取付部材、３１ａ…取付部材の前板（切換えスイッチが設けられる部分）、３３…フロントパネル、３４…支持板、３５…切換えスイッチ、３７…配線収容部材、３９…電気配線、４１…貯氷検知スイッチ（電気要素）、ＷＶ…ウォータバルブ（電気要素）。
【図１】
2004293898.tif 000003
【図２】
2004293898.tif 000004
【図３】
2004293898.tif 000005
【図４】
2004293898.tif 000006
【図５】
2004293898.tif 000007